(57)【要約】【課題】  電磁波の悪影響を防止する。【解決手段】  多機能型スピーカ１は、ポールピース１３、磁石１４及びトッププレート１５で構成された磁気回路部（可動部）１６が、フレーム１１に埋設されたバネである円環状の外周部と円環状の内周部とを複数の円弧状の腕部で連結した支持バネＡ１２及び支持バネＢ２２により弾性支持されている。フレーム１１の段部には振動板２３が嵌着してある。コイル２４はセンターポール１３ａとトッププレート１５との隙間である磁気ギャップ１６ａの中に位置している。フレーム１１の円筒部１１ａをスペーサ３１、３２を介してプロテクタＡ１７及びプロテクタＢ１８とで覆っている。支持バネＢ２２の突起部２２ａがプロテクタＡ１７の内壁に接している。プロテクタＡ１７の接続部１７ｂがＧＮＤ端子２１の上に延在して半田付けされている。【選択図】  図２
2005229551.tif 000002
【特許請求の範囲】
【請求項１】
ポールピースと、該ポールピース上に固定された磁石と、該磁石上に固定されたトッププレートとで磁気回路部を形成し、フレームに埋設した支持バネにより前記磁気回路部を前記フレーム内に弾性支持し、前記フレームに固定した振動板にコイルを固定して、前記ポールピースと前記トッププレートとの隙間である磁気ギャップに前記コイルが位置するとともに、前記フレーム上下面にそれぞれプロテクタを配設した多機能型スピーカにおいて、前記プロテクタは互いに嵌合して膨出部を除いた前記フレーム全体を覆っていることを特徴とする多機能型スピーカ。
【請求項２】
一方の前記プロテクタの外周部に溝を設け、他方の前記プロテクタの外周にはこの溝と係合する折り曲げ部を設け、前記溝に前記折り曲げ部を係合させたことを特徴とする請求項１記載の多機能型スピーカ。
【請求項３】
前記膨出部には外部接続端子（＋）、（−）の他にアース端子を設けたことを特徴とする請求項１又は請求項２記載の多機能型スピーカ。
【請求項４】
前記アース端子は前記プロテクタに導通していることを特徴とする請求項３記載の多機能型スピーカ。
【請求項５】
前記磁気回路部は前記支持バネを経由して前記プロテクタに導通していることを特徴とする請求項１乃至請求項４のいずれかに記載の多機能型スピーカ。
【請求項６】
前記アース端子が前記外部接続端子（＋）、（−）のどちらかに接続していることを特徴とする請求項１乃至請求項５のいずれかに記載の多機能型スピーカ。
【発明の詳細な説明】
【技術分野】
【０００１】
本発明は、携帯電話やＰＤＡ等の移動体通信機器及びゲーム機器等に組み込み、着信を振動によって使用者に報知する振動機能付き多機能型スピーカに関する。
【背景技術】
【０００２】
従来、携帯電話やＰＤＡ等の移動体通信機器には、一般に、使用者に着信を知らせるのにブザー音やメロディ音を発する機能と、音は出さずに機器の筐体が振動する機能とを切り替えて使えるように構成されており、そのために、小型スピーカに類する音響発生用のスピーカと、偏心重りを小型モータで回転させて振動を発生する振動体とを併せて内蔵する構造が取られてきた。しかし、このようにスピーカと振動体との両方を組み込むことは機器の小型化や低価格化の上で不利であった。そこで、近年１個のもので音響と振動との両方を発生させる多機能型スピーカが用いられるようになっている（例えば、特許文献１参照。）。
【０００３】
従来のこの種の多機能型スピーカの一例について図面を参照して説明する。図５（ａ）は従来の多機能型スピーカの平面図である。図５（ｂ）は図５（ａ）のＤ−Ｄ断面を示す部分断面側面図、図５（ｃ）はこの多機能型スピーカの底面図である。
【０００４】
まず、この多機能型スピーカの構成を説明する。図５（ａ）、図５（ｂ）において、５１は振動機能付き多機能型スピーカであり、６１は略円筒状の樹脂成形品であるフレームであり、円筒部６１ａの外壁の一部は外側へ膨出し膨出部６１ｂとなっている。円筒部６１ａには上方段部６１ｃ及び下方段部６１ｄが形成されている。７２はフレーム６１の内壁に埋設された円環状の外周部と円環状の内周部とを複数の円弧状の腕部で連結した支持バネＢである。
【０００５】
１３は磁性体であるセンターポール１３ａとフランジ１３ｂとから成るポールピースであり、フランジ１３ｂは支持バネＢ７２の内周部に固定されている。１４はフランジ１３ｂ上に固定された円環状の磁石であり、１５は磁石１４上に固定された円環状の磁性体から成るトッププレートである。１６はポールピース１３、磁石１４及びトッププレート１５で構成された磁気回路部（可動部）である。トッププレート１５の内周とセンターポール１３ａの外周との間には磁気ギャップ１６ａが形成されている。
【０００６】
６７はフレーム６１内部を保護するための略円板状の金属製プロテクタＡであり、プロテクタＡ６７には複数の放音孔６７ａが形成されている。８１はフレーム６１の上方段部６１ｃに振動板を挟むように配設された断面Ｌ字状リングであり、プロテクタＡ６７の外周はリング８１にカシメられている。６８は複数の空気逃げ穴６８ａが形成された略皿状の金属製プロテクタＢであり、プロテクタＢ６８は支持バネＢ７２が固定された下方段部６１ｄとの間にリング状スペーサＢ３２を挟んでフレーム６１に固定されている。
【０００７】
次に、１９、２０はフレーム６１の膨出部６１ｂのスリットに挿入された断面コの字状の（＋）端子、（−）端子であり、挿入後に両端部を折り曲げ接合されて一対の外部接続端子となっている。２５はその接合部の半田である。２６は半田２５部を保護している樹脂である。１２はフレーム６１に接着された円環状の外周部と円環状の内周部とを複数の円弧状の腕部で連結した支持バネＡであり、内周部がトッププレート１５と固定されている。このようにして磁気回路部（可動部）１６は支持バネＡ１２と支持バネＢ７２とによりフレーム６１に弾性支持されている。
【０００８】
２３はプラスチックス材料から成る振動板であり、その外縁部がフレーム６１の上方段部６１ｃへ固定されている。２４は円筒状に巻回されたコイルであり、一対のコイル端末２４ａが（＋）端子１９、（−）端子２０に半田接合されている。コイル２４は振動板２３下面に接合固定されており、センターポール１３ａとトッププレート１５とで作られた隙間である磁気ギャップ１６ａの中に位置している。
【０００９】
次に、この多機能型スピーカ５１の作用を説明する。コイル２４に入力される駆動信号の周波数により、コイル２４に発生する起磁力と磁石１４の磁力との相互干渉作用により、振動板２３が振動して音響を発したり、コイル２４と磁気回路部（可動部）１６との相対変位が起きるが、磁気回路部（可動部）１６はフレ2ーム６１に弾性支持されているので、磁気回路部（可動部）１６が振動し、更にこの振動がフレーム６１に伝わり、多機能型スピーカ５１を取り付けた機器の筐体が共鳴してこれに接している人間の身体、例えば手の指先などに振動を感ずることができる。
【特許文献１】特開２００１−２２５０１０号公報（図１、段落００１６〜    ００１９）
【発明の開示】
【発明が解決しようとする課題】
【００１０】
しかしながら、従来のこのような構成の多機能型スピーカでは、スピーカの外部からの電磁波の影響によって磁気回路が動作し、それが機器内部の電子部品に電磁ノイズを与えることにより感度低下等の悪影響をもたらすという問題があった。
【００１１】
本発明はこのような従来の問題を解決するためになされたものであり、その目的は、外部からの電磁波を遮断して、これによる悪影響のない多機能型スピーカを提供することである。
【課題を解決するための手段】
【００１２】
前述した目的を達成するための本発明の手段は、ポールピースと、該ポールピース上に固定された磁石と、該磁石上に固定されたトッププレートとで磁気回路部を形成し、フレームに埋設した支持バネにより前記磁気回路部を前記フレーム内に弾性支持し、前記フレームに固定した振動板にコイルを固定して、前記ポールピースと前記トッププレートとの隙間である磁気ギャップに前記コイルが位置するとともに、前記フレーム上下面にそれぞれプロテクタを配設した多機能型スピーカにおいて、前記プロテクタは互いに嵌合して膨出部を除いた前記フレーム全体を覆っていることを特徴とする。
【００１３】
また、一方の前記プロテクタの外周部に溝を設け、他方の前記プロテクタの外周にはこの溝と係合する折り曲げ部を設け、前記溝に前記折り曲げ部を係合させたことを特徴とする。
【００１４】
また、前記膨出部には外部接続端子（＋）、（−）の他にアース端子を設けたことを特徴とする。
【００１５】
また、前記アース端子は前記プロテクタに導通していることを特徴とする。
【００１６】
また、前記磁気回路部は前記支持バネを経由して前記プロテクタに導通していることを特徴とする。
【００１７】
また、前記アース端子がコイルの外部接続端子（＋）、（−）のどちらかに接続していることを特徴とする。
【発明の効果】
【００１８】
本発明によれば、該ポールピース上に固定された磁石と、該磁石上に固定されたトッププレートとで磁気回路部を形成し、フレームに埋設した支持バネにより前記磁気回路部を前記フレーム内に弾性支持し、前記フレームに固定した振動板にコイルを固定して、前記ポールピースと前記トッププレートとの隙間である磁気ギャップに前記コイルが位置するとともに、前記フレーム上下面にそれぞれプロテクタを配設した多機能型スピーカにおいて、前記プロテクタは互いに嵌合して膨出部を除いた前記フレーム全体を覆っているので、外部からの電磁波を遮断してこれによる悪影響のない多機能型スピーカが得られた。
【発明を実施するための最良の形態】
【００１９】
以下、本発明の最良の実施形態を図面に基づいて詳細に説明する。図１は多機能型スピーカの平面図、図２は図１のＡ−Ａ断面を示す断面図、図３は図１のＢ−Ｂ断面を示す部分断面図、図４は図１のＣ−Ｃ断面を示す部分断面図である。
【００２０】
まず、本発明の実施形態である多機能型スピーカの構成を説明する。図１乃至図４において、１は多機能型スピーカであり、１１は樹脂成形品であるフレームであり、略円筒状の円筒部１１ａ及びその外側面の一部が膨出した膨出部１１ｂを有する。２１は、膨出部１１ｂに形成されたスリットに挿入された断面コの字状のＧＮＤ端子であり、挿入後に折り曲げて両端部を重ねてある。１７は底板付円筒状の金属製プロテクタＡである。プロテクタＡ１７の底板には複数の放音孔１７ａが形成されており、円筒部の一部は膨出部１１ｂを逃がすために切り欠かれている。
【００２１】
また、切り欠かれた部分の一部には舌片状に接続部１７ｂが残されている。プロテクタＡ１７の接続部１７ｂは屈曲して引き出されＧＮＤ端子２１上に半田接合されている。１８はプロテクタＡ１７と略同形状のプロテクタＢであり、底板には複数の逃げ穴１８ａが形成されている。図３に示すように、プロテクタＡ１７の外壁はプロテクタＢ１８の内壁に嵌合することによって、膨出部１１ｂとの接続部を除くフレーム１１の全体を覆っている。プロテクタＡ１７の外周部には複数の長窓である溝１７ｃを設け、プロテクタＢ１８の外周部には溝１７ｃに嵌入して係合する折り曲げ部１８ｂを設けてあり、これらを互いに係合させることによって電気的に接続している。
【００２２】
２２は支持バネＢであり、外周の一部が舌辺状に突出した突起部２２ａがフレーム１１の円筒部１１ａの外壁に形成された凹部に沿うように上方へ曲げられ、プロテクタＡ１７の内壁に圧接されている。３１はリング状のスペーサＡであり、円筒部１１ａの上方段部１１ｃに振動板２３の周縁部を挟んで配設されている。プロテクタＡ１７はスペーサＡ３１によって高さ方向の位置決めが成されている。そして、プロテクタＢ１８は、円筒部１１ａの下端面と、下方段部１１ｄに支持バネＢ２２を挟んで配設されたスペーサＢ３２とによって高さ方向の位置決めが成されている。
【００２３】
本発明の多機能型スピーカ１が従来の多機能型スピーカ５１と異なるところは以上に説明した部分であり、その他は従来の多機能型スピーカ５１と同様であるから、従来と同じ構成要素には同じ符号と名称とを用いて詳細な説明を省略した。なお、本発明の多機能型スピーカは以上説明した実施形態に限定されるものではなく、例えばフレームは第一フレームと第二フレームとの二体で形成されているものであってもよく、また、磁気回路部は、上記の外磁型に限らず、平底鍋形のポールピースの中央に磁石とトッププレートとを接合した内磁型であってもよい。更に、２枚の弾性支持バネのうち１枚を省いてもよい。
【００２４】
次に、本発明の実施形態の効果について説明する。この多機能型スピーカ１は、金属製のプロテクタＡ１７とプロテクタＢ１８とで磁気回路部１６を封じ込めたので、外部からの電磁波の影響を受けない。また、プロテクタＡ１７には溝１７ｃを設け、プロテクタＢ１８には折り曲げ部１８ｂを設けて互いに係合させたので、互いを強固に固定できた。磁気回路部１６を、支持バネＢ２２を経由してプロテクタＡ１７及びプロテクタＢ１８に導通させて更にＧＮＤ端子２１に接続するようにしたので、外部部品への電磁波の悪影響を防止できる。ゲーム機や電話機など小型の機器に用いれば、手の指先などによって振動を体感できるようになる。また、磁気回路部（可動部）１６を２枚の弾性支持バネ、支持バネＡ１２と支持バネＢ２２とで支持したので、振動に伴う可動部の動きがバネ１枚の場合より安定する。その結果、衝撃を伴うように耳に押し当てた場合でも、不快な振動音を発生させることがない。
【産業上の利用可能性】
【００２５】
本発明の多機能型スピーカは、携帯電話やＰＤＡ等の移動体通信機器及びゲーム機器等に広く適用できる。
【図面の簡単な説明】
【００２６】
【図１】本発明の実施の形態である多機能型スピーカの平面図である。
【図２】図１のＡ−Ａ断面を示す断面図である。
【図３】図１のＢ−Ｂ断面を示す部分断面図である。
【図４】図１のＣ−Ｃ断面を示す部分断面図である。
【図５（ａ）】従来の多機能型スピーカの平面図である。
【図５（ｂ）】従来の多機能型スピーカの断面図である。
【図５（ｃ）】従来の多機能型スピーカの底面図である。
【符号の説明】
【００２７】
１  多機能型スピーカ
１１  フレーム
１１ｂ  膨出部
１２  支持バネＡ
１３  ポールピース
１４  磁石
１５  トッププレート
１６  磁気回路部（可動部）
１６ａ  磁気ギャップ
１７  プロテクタＡ
１７ｃ  溝
１８  プロテクタＢ
１８ｂ  折り曲げ部
１９  （＋）端子
２０  （−）端子
２１  アース端子
２２  支持バネＢ
２３  振動板
２４  コイル
【図１】
2005229551.tif 000003
【図２】
2005229551.tif 000004
【図３】
2005229551.tif 000005
【図４】
2005229551.tif 000006
【図５（ａ）】
2005229551.tif 000007
【図５（ｂ）】
2005229551.tif 000008
【図５（ｃ）】
2005229551.tif 000009